(57)【特許請求の範囲】
【請求項１】
固定保持枠用の外枠の前側に開閉可能に組付けられた開閉搭載枠用の前枠裏側に、裏面が開口した収容セット面域を形成した収容保持枠が設けられ、この収容保持枠の収容セット面域内に合わせて、遊技盤が着脱交換可能に収容セット保持されたパチンコ遊技機において、
遊技盤の下面及び収容保持枠の下枠杆の一方に回動軸が、他方に回動軸を支持するための軸受が設けられており、収容保持枠の収容セット面域内への遊技盤の着脱の際には、回動軸が前記軸受に係合することによりヒンジが形成され、遊技盤が、遊技盤の前記下面が支持された状態で、収容保持枠に対して前後方向に回動可能なように構成されている遊技盤着脱機構と、
遊技盤を収容保持枠内に固定するための複数の固定部材のうち少なくとも２つの固定部材が、操作部を有する連結部材により連結されており、操作部の操作により、前記の少なくとも２つの固定部材が連動的に、遊技盤固定位置又は遊技盤開放位置に変移可能である遊技盤固定保持機構と、
前記収容保持枠の収容セット面域内における前記遊技盤の回動を阻止する遊技盤回動阻止機構と、
前記外枠と前記前枠との間に亘り、前記外枠に対して前記前枠を所要開放位置に固定して保持するための回動変移可能な前枠開放保持部材を掛装し、前記前枠開放保持部材の一端に形成した回動支点部を、前記外枠又は前記前枠の一方に回動可能に支持し、前記前枠開放保持部材の他端に形成した係合固定部を、前記外枠又は前記前枠の他方に形成された係合保持部に着脱可能に係合するように構成した前枠開放保持機構と、
を有し、
前記遊技盤回動阻止機構は、前記遊技盤固定保持機構が前記遊技盤開放位置にあるときでも、前記遊技盤の所定の部位と摺接して、前記遊技盤の回動を阻止し、
前記前枠開放保持部材は、前記前枠に対して裏機構セット盤を裏機構セット盤開放位置に固定して保持するストッパ部材を有し、かつ、
前記ストッパ部材は、前記裏機構セット盤を保持できる保持位置と、前記裏機構セット盤を保持し得ない非保持位置との間で、前記前枠開放保持部材に沿って移動でき、
前記ストッパ部材を前記保持位置に固定することで、前記裏機構セット盤を前記裏機構セット盤開放位置に開放保持する
ことを特徴とするパチンコ遊技機。
【請求項２】
前記遊技盤回動阻止機構は、前記前枠の裏面に固定され、前記収容保持枠内に収容される前記遊技盤を下向き方向に押圧する板ばねを含む、
ことを特徴とする請求項１記載のパチンコ遊技機。
【請求項３】
前記遊技盤の上部位置には孔が形成されるとともに、
前記遊技盤回動阻止機構は、前記収容保持枠の収容セット面域上部に設けられ、前記孔に貫入可能な突出部を含む、
ことを特徴とする請求項１又は２記載のパチンコ遊技機。
【請求項４】
前記回動軸は、把持部材により前記収容保持枠に形成された凹部内に保持され、
前記軸受は、前記回動軸を受ける２つの軸受部と前記遊技盤に固定される固定部とからなり、
前記把持部材は前記収容保持枠に固定され、
前記把持部材の上部は前記回動軸を把持可能なＵ字形状に形成された、
ことを特徴とする請求項１〜３のいずれか一項記載のパチンコ遊技機。
【請求項５】
前記軸受部は、前記遊技盤の下面に設けられ、
前記回動軸の上周部は、前記回動軸と前記軸受とが係合するとき、前記軸受部の上周内部と接触し、前記遊技盤の下面を支持する、
ことを特徴とする請求項１〜４のいずれか一項記載のパチンコ遊技機。
【発明の詳細な説明】
【０００１】
【発明の属する技術分野】
本発明は、前枠裏側に設けられた収容保持枠内への遊技盤の着脱が容易であるパチンコ遊技機に関する。
【０００２】
【従来の技術】
一般的なパチンコ機をはじめ、アレンジボール機、雀球遊技機等の球使用遊技機（以下、本明細書では「パチンコ遊技機」という）は、一般に、縦長方形の外枠の開口前側に、遊技盤や裏機構セット盤を含む各種遊技用構成部材が搭載された前枠が、着脱及び開閉可能に組付られているという構造をしている。そして、遊技盤は、前枠を外枠に対してまた裏機構セット盤を前枠に対して開放した後に現れる、前枠裏面に一体形成された又は取付けられた収容保持枠の収容セット面域（セット口）に挿着される。
【０００３】
【発明が解決しようとする課題】
しかし、一般に遊技盤は、縦横４０ｃｍ厚さ２ｃｍ近くもあるベニヤをベースとしており、その前後には多くの部品が取り付けられているため、非常に重い。しかも、収容セット面域（セット口）は、一般的には、遊技盤に適合させた形状であり、遊技盤との収容保持枠との間隔は通常１mm程度であり、殆ど遊びがないこと等を考え合わせると、収容保持枠内への遊技盤の挿着や取出しは、非常に難儀な作業である。
【０００４】
更に、収納保持枠内への遊技盤の固定に関しては、一般的には、遊技盤は、前枠裏面の収容保持枠周囲に設けられた複数の固定レバーにより固定されている。そして、遊技盤を着脱する際は、これら複数の固定レバーを夫々、遊技盤固定位置から遊技盤開放位置又は遊技盤開放位置から遊技盤固定位置に変移させる必要があった。
【０００５】
【発明が解決しようとする課題】
したがって、本発明は、収容保持枠内への遊技盤の容易な着脱を可能とする技術を提供することを目的とする。
【０００６】
【課題を解決するための手段】
上記課題を解決するために提供される本発明は、固定保持枠用の外枠の前側に開閉可能に組付けられた開閉搭載枠用の前枠裏側に、裏面が開口した収容セット面域を形成した収容保持枠が設けられ、この収容保持枠の収容セット面域内に合わせて、遊技盤が着脱交換可能に収容セット保持されたパチンコ遊技機において、
遊技盤の下面及び収容保持枠の下枠杆の一方に回動軸が、他方に回動軸を支持するための軸受が設けられており、収容保持枠の収容セット面域内への遊技盤の着脱の際には、回動軸が前記軸受に係合することによりヒンジが形成され、遊技盤が、遊技盤の前記下面が支持された状態で、収容保持枠に対して前後方向に回動可能なように構成されている遊技盤着脱機構と、
遊技盤を収容保持枠内に固定するための複数の固定部材のうち少なくとも２つの固定部材が、操作部を有する連結部材により連結されており、操作部の操作により、前記の少なくとも２つの固定部材が連動的に、遊技盤固定位置又は遊技盤開放位置に変移可能である遊技盤固定保持機構と、
前記収容保持枠の収容セット面域内における前記遊技盤の回動を阻止する遊技盤回動阻止機構と、
前記外枠と前記前枠との間に亘り、前記外枠に対して前記前枠を所要開放位置に固定して保持するための回動変移可能な前枠開放保持部材を掛装し、前記前枠開放保持部材の一端に形成した回動支点部を、前記外枠又は前記前枠の一方に回動可能に支持し、前記前枠開放保持部材の他端に形成した係合固定部を、前記外枠又は前記前枠の他方に形成された係合保持部に着脱可能に係合するように構成した前枠開放保持機構と、
を有し、
前記遊技盤回動阻止機構は、前記遊技盤固定保持機構が前記遊技盤開放位置にあるときでも、前記遊技盤の所定の部位と摺接して、前記遊技盤の回動を阻止し、
前記前枠開放保持部材は、前記前枠に対して裏機構セット盤を裏機構セット盤開放位置に固定して保持するストッパ部材を有し、かつ、
前記ストッパ部材は、前記裏機構セット盤を保持できる保持位置と、前記裏機構セット盤を保持し得ない非保持位置との間で、前記前枠開放保持部材に沿って移動でき、
前記ストッパ部材を前記保持位置に固定することで、前記裏機構セット盤を前記裏機構セット盤開放位置に開放保持することを特徴とする。
なお、回動阻止機構としては、例えば、遊技盤が収容保持枠内に収容されている状態において、遊技盤の所望部位と固定的に接触して回転を阻止する手段（例えば、遊技盤の上面を付勢する板ばねを前枠裏面の適当な位置に設置したり、遊技盤に貫入可能な突出部をセット口上部に設置する）が挙げられる。
【０００７】
本発明の更なる態様としては、遊技盤が収容保持枠内にセットされた状態において、遊技盤と、前枠の裏側に片持ち形態で開閉可能に組付けられた裏機構セット盤とを共締固定する手段を備えたものが挙げられる。
【０００９】
本発明の更なる態様としては、更に、遊技盤には、遊技盤を手持ち運搬可能な把持手段が備えられている態様が挙げられる。
【００１１】
【実施例】
次に本発明に係るパチンコ遊技機の遊技盤開閉機構の好適な実施形態を図面を参照しながら説明する。なお、本実施形態では、遊技盤の遊技領域内でセーフ球とアウト球の区分発生を含むパチンコゲームを展開しうる一般的なパチンコ機を主たる例とし、同機裏側に遊技済み球（セーフ球及びアウト球）の排出処理経路や球貯留供給装置そして各種の制御基板等を備えた裏機構が装備された実施形態を示す。また、本明細書において、「正面」、「裏面」、「左」及び「右」という場合、すべて正面前方を基準とする。
【００１２】
まずパチンコ機全体の基本的構成を図１及び図２を参照して説明すると、機枠又は外郭機体として所定の縦長方形枠サイズに構成されて設置枠台（遊技島ともいう）に固定保持される外枠Ａの前側開口面域に、これに合わせた縦長方形枠サイズに構成された開閉搭載枠用の前枠Ｂが、互いの正面左側上下部に配設された開閉連結支持手段（ヒンジ部材又は蝶番ともいう）１１ａ及び１１ｂ及び正面右側内部に配設された施錠装置（図示せず）を利用して、開閉（片持ち左右横開き）及び着脱が可能に組付けられて閉鎖状態に保持される。そして、この前枠Ｂの各部に必要な遊技構成部材として、前枠Ｂの前側面域に合わせた方形枠サイズのガラス扉（ガラス窓ともいう）が、開閉連結支持手段及び施錠装置（図示せず）を利用して開閉（片持ち左右開き）及び着脱が可能に組付けられて閉鎖状態に保持される一方、下球皿（図示せず）及び打球発射装置１２が夫々装備されている。また、上球皿１３も、開閉連結支持手段及び施錠装置（図示せず）を利用して、開閉（片持ち左右開き）及び着脱が可能に組付けられて閉鎖状態に保持される。また、前枠Ｂの窓口裏側に合わせた方形枠サイズの収容保持枠１４に対して遊技盤Ｃ（図２では想像線）が着脱交換可能に収容セット保持されて前面の遊技領域をガラス扉の正面に望ませており、前枠Ｂの裏側に裏機構セット盤Ｅが、開閉連結支持手段並びに後述の施錠手段を利用して片持ち左右横開き可能に組付けられて閉鎖状態に保持されている。
【００１３】
なお、前記外枠Ａは、木材製の縦長方形枠を例示し、前記前枠Ｂと収容保持枠１４は、一体に樹脂成形された前後二重枠形態を例示する。また、前記遊技盤Ｃは、収容保持枠１４の収容面域の内法に合わせた方形サイズで裏側から着脱されるタイプを例示し、盤前面のレール（図示せず)の内側に、各種の遊技部品（入賞成立発生する大小の入賞具や図柄表示装置を含む）と多数本の遊技釘との配置設定に基づく前記遊技領域とアウト口を構成しており、そして収容面域の周囲に配設された後述の施錠手段で固定保持されるようになっている。
【００１４】
以下、図１〜図１３を参照しながら第一実施例を説明する。なお、第一実施例に係るパチンコ遊技機は、軸及び軸受とからなる遊技盤Ｃの着脱機構と、連動式の遊技盤固定部材を含む遊技盤Ｃの固定保持機構と、レバー部材、台座及びピンからなる遊技盤Ｃの脱着機構と、ストッパ部材を備えた開放保持部材からなる前枠・裏機構セット盤の開放保持機構と、把持部及び固定用プレートからなる遊技盤Ｃの把持手段から構成される。なお、以下で詳述する「遊技盤Ｃの脱着機構」は、遊技盤を外し易くする機能や遊技盤を固定する機能を有するので、「遊技盤Ｃの着脱機構」や「遊技盤Ｃの固定保持機構」の項目で述べるべきであるが、理解の容易のため、以下では便宜上分けて説明することとする。
【００１５】
遊技盤Ｃの着脱機構
本実施例に係る遊技盤Ｃの着脱機構を、図２〜図５に示す。標記機構は、後述するように、遊技盤Ｃの下面に固定された軸受と、収容保持枠１４の下枠杆に固定された軸とから構成され、着脱時には両者が係合してヒンジを構成する。まず、軸に関し説明すると、図２〜図４に示されるように、軸１０１は、収容保持枠１４に形成された凹部１４ａ内に収納固定される。詳しくは、図３に示されるように、軸１０１の両端部１０１ａが、凹部１４ａ内の台座１４ｂ上に載っている状態で、軸１０１が、把持部材１０２により凹部１４ａ内に固定保持されている。把持部材１０２は、軸１０１が凹部１４ａから外れたりぐらつかないように、その上部（Ｕ字形状部分）で軸１０１の主軸部１０１ｃをしっかり把持しており、ネジを介して収容保持枠１４に固定されている。なお、図３に示すように、軸１０１の両端付近には、二つの鍔部１０１ｂが形成されており、鍔部１０１ｂ間の距離（外側と外側の距離）は、左右の台座１４ｂの側面間の距離と略同一か若干小さい。そのため、図４に示されるように、軸１０１を台座１４ｂに載せた際には、両方の鍔部１０１ｂは、両方の台座１４ｂの側面に挟まれるような位置をとる。
【００１６】
他方、図４及び図５に示されるように、軸１０１に対する軸受１００が、遊技盤Ｃ側に設けられている。ここで、図３に示されるように、軸受１００は、軸１０１を受ける２箇所の軸受部１００ａと、軸受１００を遊技盤Ｃに固定するための固定部１００ｂとから構成されており、固定部１００ｂを遊技盤Ｃの裏面下部の所定位置にねじ固定することにより、軸受部１００ａが遊技盤Ｃの下面に形成される。また、遊技盤Ｃには、図５に示すように、この軸受１００を収容するための切欠（ザクリ）処理がなされており（図中のＣ０）、遊技盤裏面が平坦に構成されるようになっている。両方の軸受部１００ａ間の距離（外側と外側の距離）は、左右の鍔部１０１ｂ間の距離（内側と内側の距離）と同一か若干小さい。そのため、図４に示されるように、軸１０１が軸受１００と係合状態にあるとき、両方の軸受部１００ａは、両方の鍔部１０１ｂの内側に挟まれるような位置をとる。
【００１７】
図５は、収容保持枠１４内に遊技盤Ｃが固定保持されている状態における、軸１０１と軸受１００との係合を示したものである。この状態においては、軸１０１が、遊技盤Ｃの重さを支えている。その結果、図５の拡大図に示されるように、軸１０１の上周部が軸受部１００ａの上内周部と常に接触状態に置かれるため、遊技盤Ｃを何回脱着しても、収容保持枠１４内での遊技盤Ｃの位置（特に上下方向での）は常に安定する。したがって、遊技補助盤に設けられた発射レールと遊技盤Ｃに設けられたレールとの整合が常に担保され、遊技時の円滑な球出しが可能となる。なお、本実施例のように軸を遊技盤の内側（収容保持枠の内方）に設けることにより、裏機構セット盤Ｅとの位置関係に対する規制が緩和されるだけでなく、回転時に発生する軸に対するモーメントを軽減できると共に、円滑な回転を行うことができる。
【００１８】
遊技盤Ｃの装着は、遊技盤Ｃの下面に設けられた軸受部１００ａの両方を、収容保持枠１４に設けられた軸１０１の鍔部１０１ｂ間に配して軸と軸受を係合させる。その後、軸１０１を中心として遊技盤Ｃを前方に回転させることにより、遊技盤Ｃは収容保持枠１４内に装着される。遊技盤Ｃの脱着は、その逆の操作を行う。この機構により、遊技盤の着脱の際、遊技盤の下部が前枠裏面に支えられており、遊技盤の重さが軽減されるので、操作者は容易に遊技盤を着脱することができる。
【００１９】
遊技盤Ｃの固定保持機構
本実施例に係る遊技盤Ｃの固定保持機構を図２及び図６〜９に示す。標記機構は、収容保持枠１４の右の側枠杆の上下２箇所、左の側枠杆の１箇所及び下枠杆の１箇所に設けられており、夫々の軸を中心に回動可能な、遊技盤固定部材２０Ａ〜２０Ｄから構成されている。遊技盤固定部材２０Ａ〜２０Ｄは、夫々該部材が遊技盤Ｃの裏面に当接する位置（遊技盤固定位置、図２参照）と、収容保持枠１４からの遊技盤Ｃの着脱に干渉しない位置（遊技盤非固定位置）に回動可能である。ここでは、左・下に設けられた遊技盤固定部材２０Ｃ及び２０Ｄは従来と変わらないので説明を割愛し、本実施例の特徴である右部の遊技盤固定部材２０Ａ及び２０Ｂについて詳述する。図２及び図６に示されるように、右の側枠杆に設けられた遊技盤固定部材２０Ａと２０Ｂは、連結杆２３を介して互いに連結されており、かつ、連結杆２３に操作レバー２４が付設されている。そのため、１回の操作で、両者を遊技盤開放位置・遊技盤非開放位置に配することができる。この機構につき更に詳述すると、図６に示されるように、遊技盤固定部材２０Ａ及び２０Ｂは、収容保持枠１４の右の側枠杆の上下に軸支されている。そして、図６の拡大図に示されるように、遊技盤固定部材２０Ａ及び２０Ｂは、レバーの回動により、遊技盤固定位置（図中実線）又は遊技盤非固定位置（図中想像線）に変位する。ここで、図７に示されるように、遊技盤固定部材２０Ａは、該部材の右端（図では左端）で、連結杆２３をピン支持している（但し、図７はピンが外れた状態を示している）。なお、図７には図示されていないが、遊技盤固定部材２０Ｂも同様である。結果、全体としては、図６に示されるように、連結杆２３を介して、遊技盤固定部材２０Ａ及び２０Ｂが連結した構成を採っている。更に、図６及び図７に示されるように、操作レバー２４が、連結杆２３の適当な位置に固定されており、このレバー２４を上下に操作することにより、連結杆２３が上下に移動し、遊技盤固定部材２０Ａ及び２０Ｂが回動する。なお、図示されていないが、前枠Ｂ裏面の収容保持枠１４の周囲には、前枠やガラス枠用の施錠装置が設けられているため、連結杆２３及び操作レバー２４は、施錠装置と干渉しないよう適宜配置されている。このように、本実施例によれば、一回の操作で、遊技盤固定位置又は遊技盤非固定位置に変位させることができる。
【００２０】
更に、上記実施例においては、レバーの先端は、図８に示されるような形状であるが、図９に示されるように、レバーの先端にガイド部Ｋを設けた形状としてもよい。このようにすることにより、多少遊技盤Ｃが収容保持枠１４からはみ出ていても遊技盤固定部材が回動できる。
【００２１】
遊技盤Ｃの脱着機構
遊技盤Ｃの脱着機構を、図２、図５及び図１０〜図１３を参照しながら説明する。図１１に示されるように、標記機構は、遊技盤Ｃを後方に押出す押出し部７００ａ、閉鎖状態で遊技盤Ｃを支持する遊技盤支持部７００ｂ及びハンドル部７００ｃからなるレバー部材７００と、台座７０１と、ピン７０２と、レバー部材７００及び台座７０１の両方に設けられた孔にピン７０２を貫入させた後に反対側でそれを固定するためのリング７０６とから構成されており、図２及び図５に示されるように、レバー部材７００は、前枠Ｂの上枠杆の裏側にネジで付設された金属製の台座７０１に、ピン７０２により回動可能に支持されている。遊技盤Ｃが収容保持枠１４に保持されている状態においては、図５に示されるように、レバー部材７００の遊技盤支持部７００ｂが、遊技盤Ｃが収容保持枠１４から脱着しないように、遊技盤Ｃの裏面上部を支持している。この際、レバー部材７００の押出し部７００ａは、遊技盤Ｃの前面上端と前枠Ｂの上枠杆裏面との間に形成された隙間Ｓ１内に位置している。なお、図１２は、この保持状態を上方から見た図である。遊技盤Ｃの保持解除する際には、図１０に示されるように、レバー部材７００のピン７０２を軸とした反時計回りに回動する。これにより、遊技盤支持部７００ｂによる遊技盤Ｃの支持が解除されると共に、押出し部７００ａにより遊技盤前面上端が押出される。なお、図１３は、この保持解除状態を上方から見た図であり、拡大図は、この近傍の一部を断面から見た図である。このような構成を採ることにより、遊技盤の脱着が容易に行えるようになる。
【００２２】
前枠・裏機構セット盤の開放保持機構
図１、図１２及び図１３を参照しながら標記機構を説明する。本実施例の標記機構は、前枠の開放保持機構と裏機構セット盤の開放保持機構の両機能を有するが、以下でははじめに前枠の開放保持機構につき説明する。図１に示されるように、開放保持部材５０を外枠Ａの上枠杆下に収納するためのフック部材４０１（金属製）が、上枠杆下にねじで締付固定されている。開放保持部材５０は、図１に示されるように、フック部材４０１に対して開閉連結支持手段Ｇ寄りの、外枠Ａの上枠杆下に固定された回動支点ねじ（回動支点部）５２に回動可能に支持されている。図１２に示されるように、開放保持部材５０の自由端５０ａは、後述の凹状の係合保持部５３と係合する係合固定部５０ｂを有する。係合固定部５０ｂは、ナット部材５０ｃ、鍔部材５０ｄ及び間軸部５０ｅ（この幅は、係合保持部５３の厚みより若干大きく設定される）からなり、間軸部５０ｅは、係合保持部５３の凹部と係脱可能である。これにより、開放保持部材５０の自由端５０ａを係合保持部５３にセットした後は、係合保持部５３に対しての自由端５０ａの前後の移動が制限される。開放保持部材５０の長さは、原則的に、回動支点部と係合保持部との距離に対応し、したがって、回動支点ねじ５２と係合保持部５３がどこに設置されているかに依存する。また、開放保持部材５０の形状は、本実施例では、自由端５０ａ近傍で「く」の字形に曲げられているが、カーブ形等を含め、その形状は限定されない。更に、材質に関しても、金属製が好ましいものとして挙げられるが、十分な強度を有する限り、その他の材質でもよい。
【００２３】
２箇所の係合保持部５３が形成された係合保持金具は、前枠Ａに対する裏機構セット盤Ｅの開閉に干渉しないような、枠体の上枠杆の裏面の適当な位置に、ねじ等の手段により付設されている。本実施例においては、上枠杆の裏面上部に一体形成された凹部内に、係合保持金具が付設されている。このような構成を採れば、非使用時に開放保持機構は邪魔にならない。
【００２４】
前枠の開放保持機構において、開放した前枠Ｂを所望位置に保持する場合には、開放保持部材５０を回動させて、間軸部５０ｅを一方の係合保持部５３中に挿嵌し、係合固定部５０ｂと係合保持部５３とを係合させる。これにより、開放保持部材５０は外枠Ａと前枠Ｂとの間に係るストッパー部材として機能し、前枠Ｂは、所望位置（図１２の実線で示したように、左の係合保持部に挿嵌させた場合は、前枠に対して９０度の位置；同図の想像線で示したように、右の係合保持部に挿嵌させた場合は、前枠に対して１００度の位置）で拘束（ロック）され、安定に保持される。なお、前枠Ｂに対する拘束の解除は、係合固定部５０ｂを係合保持部５３から嵌脱させ、開放保持部材５０を元位置まで回動させることにより行われる。
【００２５】
回動支点部及び係合保持部の設置位置に関しては、開放保持機構、前枠及び外枠の破損防止の観点から、いずれも開閉連結支持手段Ｇ上やその近傍（好適には５cm以内）に設けられていないことが好ましい。開閉連結支持手段Ｇ上やその近傍に設置されている場合には、前枠Ｂによる押圧（時として引張力）が非常に大きいため、開放支持部やこの部品が付設された前枠・外枠の部分破壊が生じるからである。なお、本実施例においては、回動支点部が外枠側に設けられ、係合保持部が前枠側に設けられているが、その逆も可能である。
【００２６】
次に、裏機構セット盤の開放保持機構を説明する。図１２に示されるように、前枠Ｂの開放保持部材５０の周面上に、ストッパ部材５１が装備されている。ストッパ部材５１は、開放保持部材５０上に回動及び移動可能に保持されており、かつ、ストッパ部材５１を貫通し開放保持部材５０に当接可能なネジ（図示せず）の締め付けにより、ストッパ部材５１を所望位置・角度で固定可能である。裏機構セット盤Ｅの保持時には、ストッパ部材５１は鉛直下向きに配される（図示せず）。その結果、図１２に示されるように、ストッパ部材５１の自由端が、裏機構セット盤Ｅの正面と当接し、裏機構セット盤Ｅが所望の位置でストッパ部材５１により係止される。また、非保持時には、ストッパ部材５１は、その自由端が水平方向に配される（図示せず）。その結果、裏機構セット盤Ｅの開閉に際してのストッパ部材５１（特に自由端）の干渉を防止できると共に、外枠Ａ内への開放保持部材５０の収納が容易となる。
【００２７】
上記実施例においては、前枠と裏機構セット盤を同一の機構で開放保持したものであったが、それぞれ別々の機構で開放保持する態様も変更例として含む。例えば、図１に示されるように、外枠Ａの上枠杆裏面に設けられたレバー８０を裏機構セット盤Ｅの裏面に設けられた玉タンク９０の縁にフックすることにより、裏機構セット盤Ｅの開放保持を行う態様が挙げられる。
【００２８】
このような開放保持機構を設けることにより、裏機構セット盤の裏側点検、制御基板の点検・交換、遊技盤の裏側目視点検、遊技盤の着脱、裏機構セット盤・制御基板・遊技盤の修理等が容易となる。
【００２９】
遊技盤Ｃの把持手段
次に、図６、図７、図８及び図９を参照しながら本実施例に係る標記手段を説明する。図７に示されるように、遊技盤Ｃの裏面に設けられた出没式把持手段（出没式取っ手）３０は、把持部３０ａと、把持部３０ａが前後方向に移動可能なように把持部３０ａを支持する固定用プレート３０ｂとからなる。また、図９に示されるように、遊技盤Ｃの裏面には、把持部３０ａが収納されるのに十分な径及び長さで、収納孔Ｃａが設けられている。図７に示されるように、設置された出没式把持手段３０は、没（収納）位置（実線）と出位置（想像線）をとることができる。なお、図８は没位置状態を、また、図９は出位置状態を示した図である。そして、必要時（例えば、遊技盤Ｃの持ち運び時）には、遊技盤Ｃから把持手段を出し、不要時（例えば、遊技時のように前枠Ｂが閉じている時）には、収納させることが可能となる。ここで、図示しないが、把持部を引き出し容易にするための指かけ部を３０ｂに設けてもよい。
【００３０】
なお、本実施例では、図６に示されるように、出没式把持手段は複数箇所（２箇所）に設けられているが、必要に応じて１箇所でも多数箇所でもよい。
【００３１】
更に、遊技盤Ｃへの出没式把持手段３０の設置位置に関しては、没（収納）状態において、固定プレート３０から顔を出している把持部３０ａが、遊技盤固定部材の回動に干渉しない位置を選択する必要がある。そのため、図６に示されるように、固定レバー２０Ａの回動操作に全く干渉しないような、固定レバー２０Ａの設置位置の下方を選択する。このような把持手段を設けることにより、遊技盤の持ち運びが容易になると共に、収容保持枠からの遊技盤の脱着が容易となる。
【００３２】
次に、図１４〜図１９を参照しながら、本発明の第二実施例について説明する。なお、第二実施例に係るパチンコ遊技機は、軸及び軸受とからなる遊技盤Ｃの着脱機構と、連動式の遊技盤固定部材を含む共締めタイプ（遊技盤Ｃ及び裏機構セット盤Ｅ）の固定保持機構と、レバー部材、台座及びピンからなる遊技盤Ｃの脱着機構と、ストッパ部材を備えた開放保持部材からなる前枠・裏機構セット盤の開放保持機構と、把持部及び固定用プレートからなる遊技盤Ｃの把持手段から構成される。なお、先に説明した第一実施例と同じ箇所については説明を省略する。
【００３３】
遊技盤Ｃの固定保持機構
第一実施例は、遊技盤固定部材２０Ａ〜２０Ｄが、遊技盤Ｃの裏面に直に当接する態様であった（即ち、遊技盤固定部材により遊技盤Ｃのみを固定するものであった）が、本実施例は、遊技盤Ｃと裏機構セット盤Ｅの両方を同時に固定するもの（共締タイプ）である。まず、図１４に示されるように、裏機構セット盤Ｅは、その正面右端部において、金属プレート４０Ｅがネジ台座上にネジ固定されている。そして、裏機構セット盤Ｅと金属プレート４０Ｅとの間には、遊技盤固定部材２０Ｅが侵入可能な隙間Ｓ２が設けられている。遊技盤固定時には、収容保持枠１４に収容セットされた遊技盤Ｃの裏面右部を、裏機構セット盤Ｅの正面右端部が押さえつけた状態で、遊技盤固定部材２０Ｅが金属プレート４０Ｅの裏面に当接することにより、裏機構セット盤Ｅと遊技盤Ｃの両方が共締め固定される。また、遊技盤の裏面左部においても同様の構成をとっており、図１５及び図１６に示されるように、裏機構セット盤Ｅは、その正面左端部において、金属プレート４０Ｆがネジ台座上にネジ固定されている。そして、裏機構セット盤Ｅと金属プレート４０Ｆとの間には、遊技盤固定部材２０Ｆが侵入可能な隙間Ｓ３が設けられている。遊技盤固定時には、収容保持枠１４に収容セットされた遊技盤Ｃの裏面左部を、裏機構セット盤Ｅの正面左端部が押さえつけた状態で、遊技盤固定部材２０Ｆが金属プレート４０Ｆの裏面に当接することにより、裏機構セット盤Ｅと遊技盤Ｃの両方が固定される。このような構成を採ることにより、操作回数及び部品点数の削減を図ることができる。
【００３４】
遊技盤Ｃの脱着機構
本実施例における標記機構を図１７〜図１９を参照しながら説明する。まず、図１９に示されるように、レバー部材７０３は、押出し部７０３ａ及びハンドル部７０３ｂから構成されており、その端部に隙間Ｓ５が設けられている。金属製の台座７０４の一端をレバー部材７０３の隙間Ｓ５に挿入した状態で、両者に設けられた孔にピン７０５を貫入させることにより、レバー部材７０３は、台座７０４に対して回動可能に固定されている。レバー部材７０３は、前枠Ｂ上枠杆の裏側にネジで付設された金属製の台座７０４に、ピン７０５を軸として回動可能に支持されている。遊技盤Ｃが収容保持枠１４に保持されている状態においては、図１７に示されるように（実線部分）、レバー部材７０３は、台の横方向に向けられており、レバー部材７０３の押出し部７０３ａは、遊技盤Ｃの前面上端と前枠Ｂの上枠杆の裏面上端との間の隙間Ｓ４に位置している。また、遊技盤Ｃの保持解除状態においては、図１８（及び図１７の想像線）に示されるように、ピン７０５を軸としてのレバー部材７０３の回動に従い、押出し部７０３ａにより遊技盤Ｃの前面上部が押出される。このような構成を採ることにより、遊技盤の脱着が容易に行えるようになる。
【００３５】
遊技盤Ｃの把持手段
図１４に示すように、本実施例に係る遊技盤Ｃは、その裏面右端に切欠部Ｃｂが設けられており、金属プレート７０が切欠部Ｃｂを裏面から覆い被さるように遊技盤Ｃに固定されている。操作者は、切欠部Ｃｂに指を挿入し金属プレート７０の前面に指を引っ掛けることにより、遊技盤Ｃを収容保持枠１４から容易に取出すことができる。
【００３６】
以下、第一実施例及び第二実施例の変更例を挙げる。
【００３７】
遊技盤Ｃの着脱機構の変更例
上記実施例では、軸受１００は遊技盤Ｃに当初から固定されていたが、図２０に示される本変更例は、当初は固定されておらず、遊技盤Ｃを収容保持枠１４内に収納させた後、軸受１１０を遊技盤に固定するという態様である。このような構成を採ることにより、遊技盤Ｃに当初から軸受を取付ける手間が不要となり、生産効率を上げることができることに加え、遊技盤交換の際にも再利用可能である。
【００３８】
また、その他の変更例として、軸を遊技盤Ｃ側に設け、軸受を収容保持枠側に設ける態様が挙げられる。また、上記実施例では、軸は一つ、軸受部は２つであるが、同様の機能を有する限り、軸は一つでなくともよく、軸受部も１つ又は３つ以上であってもよい。
【００３９】
回転阻止機構の付加
遊技盤Ｃが収容保持枠１４内に保持するためには、前記実施例で述べたように、遊技盤固定部材を固定位置にする必要があるが、遊技盤Ｃを収容した直後或いは外す直前における、遊技盤固定部材が非固定位置にある状態においては、遊技盤Ｃは不安定な状態にあり、時として自重により後方に倒れる可能性がある。そのため、本変更例は、遊技盤固定部材が非固定位置にある場合でも、遊技盤Ｃの回転が防止できる手段を設けたものである。図２１に示される態様は、遊技盤Ｃの孔Ｃｃに貫入可能な突出部６０が、収容保持枠１４内のセット口内上部に設置されている態様である。そして、遊技盤Ｃが収容保持枠１４内に収容されている状態では、突出部６０が孔Ｃｃに貫入することにより、遊技盤Ｃの後方への回転が阻止される。なお、本変更例における突出部６０は、挿入が容易になるように、先端が先細りになっている先割れタイプであるが、この形状には限定されない。ここで、突出部６０は、遊技盤Ｃの位置決めピンとの共用が望ましく、これにより部品点数が削減できる。また、図２２に示される別態様においては、板ばね６１が前枠Ｂ裏面の所望位置に固定されている。そして、遊技盤Ｃが収容保持枠１４内に収容されている状態においては、板ばね６１が遊技盤Ｃの上面部を付勢することにより、遊技盤Ｃの後方への回転が阻止される。
【００４０】
固定保持機構の変更例
上記実施例においては、右の側枠杆の上下２箇所に設けられた遊技盤固定部材が連結されているが、それ以外の遊技盤固定部材と連結した態様（例えば、すべての遊技盤固定部材を連結した態様）や、すべて連結していない（独立の）既存態様も変更例に含む。
【００４１】
把持手段の変更例
実施例１の把持手段は出没式であったが、非出没式であってもよい。この場合、遊技盤Ｃに対する把持手段の突き出し量は、好適には、球カバーＣｄから突出しない（横から見た場合、把持手段の高さが、球カバーＣｄの高さを超えない）ことが好適である。固定時において、裏機構セット盤は遊技盤裏面に覆い被さっているところ、一般的には、裏機構セット盤の大部分は、遊技盤裏面に球カバーより低い部材が設けられていても、それと接触しないような形状を採っている。したがって、突き出し量を球カバーの高さより小さくすることにより、より広範な場所に、把持手段が設置可能となる。
【００４２】
また、実施例２の把持手段に関しても、その設置位置を遊技盤Ｃの右側面以外の場所、例えば、図２１に示すような遊技盤Ｃの上面に変更してもよい（図中、Ｃｅ）。
【００４３】
以上、各種変更例を挙げたが、これらの変更例は、特段の事情がない限り、第一実施例でも第二実施例でも適用可能である。同様に、第一実施例の内容に関しては、特段の事情がない限り、第二実施例の変更例としても実施可能であり、、第二実施例の内容として挙げた事項に関しても、特段の事情がない限り、第一実施例の変更例としても実施可能である。例えば、第二実施例の遊技盤の把持手段を有する態様は、第一実施例の変更例として実施可能である。
【００４４】
【効果】
本発明に係るパチンコ遊技機によれば、遊技盤の着脱の際、遊技盤の下部が前枠裏面に支持されているので、操作者にとり、遊技盤を支える負担が大きく軽減する。そのため、遊技盤のサイズに対して殆ど遊びの無い収容保持枠内に、重い遊技盤にセットしたり外したりするという困難な作業から解放される。更に、一回の操作で複数の固定部材が、遊技盤固定位置又は遊技盤開放位置に変移可能であるので、固定部材の各々を変移させるという煩わしい作業からも解放される。
【図面の簡単な説明】
【図１】本発明の第一実施例における、前枠と裏機構セット盤とを開放保持した状態を示した上面図である。
【図２】本発明の第一実施例に係るパチンコ遊技機の背面図である。
【図３】本発明の第一実施例における遊技盤の着脱機構の、構成部品の分解図である。
【図４】本発明の第一実施例における遊技盤の着脱機構を構成する、軸と軸受の係合状態を示す図である。
【図５】本発明の第一実施例における、遊技盤が収容保持枠内に収容保持されている状態を示す側断面図である。
【図６】本発明の第一実施例における、固定保持機構を示した図である。
【図７】図６の固定保持機構の拡大斜視図である。
【図８】図６の固定保持機構の上面図である。
【図９】本発明の第一実施例における把持手段を示した図である。
【図１０】本発明の第一実施例における脱着機構を示した側断面図である。
【図１１】図１０の脱着機構の構成部品の拡大斜視図である。
【図１２】本発明の第一実施例に係る前枠・裏機構セット盤の開放保持機構を示した上面図である。
【図１３】本発明の第一実施例に係る前枠・裏機構セット盤の開放保持機構を示した背面図である。
【図１４】第二実施例における固定保持機構（右側）を示した図である。
【図１５】第二実施例における固定保持機構（左側）を示した上面図である。
【図１６】本発明の第二実施例における固定保持機構（左側）を示した拡大斜視図である。
【図１７】本発明の第二実施例の上面図である。
【図１８】本発明の第二実施例における脱着機構を示した側断面図である。
【図１９】図１８の脱着機構の構成部品の分解図である。
【図２０】本発明の変更例における遊技盤Ｃの着脱機構を示した図である。
【図２１】本発明の変更例における着脱補助機構を示した図である。
【図２２】本発明の変更例における着脱補助機構を示した図である。
【符号の説明】
外枠  Ａ；前枠  Ｂ；遊技盤  Ｃ；収納孔  Ｃａ；切欠部Ｃｂ；孔  Ｃｃ；玉カバー  Ｃｄ；把持部  Ｃｅ；裏機構セット盤  Ｅ；ガイド部  Ｋ；開閉連結支持手段  １１ａ、１１ｂ；打球発射装置  １２；上球皿  １３；収容保持枠  １４；凹部  １４ａ；台座  １４ｂ；遊技盤固定部材  ２０Ａ〜２０Ｆ；連結杆  ２３；操作レバー  ２４；出没式把持手段（出没式取っ手）  ３０；把持部  ３０ａ；固定用プレート  ３０ｂ；金属プレート  ４０Ｅ、４０Ｆ；開放保持部材５０；係合固定部  ５０ａ；ストッパ部材  ５１；回動支点部  ５２；係合保持部  ５３；突出部  ６０；板ばね  ６１；部材  ７０；レバー  ８０；玉タンク  ９０；軸受  １００；軸受部１００ａ；固定部  １００ｂ；軸  １０１；両端部  １０１ａ；鍔部  １０１ｂ；主軸部  １０１ｃ；把持部材  １０２；レバー部材  ７００；押出し部  ７００ａ；遊技盤支持部  ７００ｂ；ハンドル部  ７００ｃ；台座  ７０１；ピン７０２；隙間  Ｓ１〜Ｓ４；レバー部材  ７０３；押出し部  ７０３ａ；ハンドル部  ７０３ｂ；台座  ７０４；ピン７０５
【図１】
0003928696.tif 000002
【図２】
0003928696.tif 000003
【図３】
0003928696.tif 000004
【図４】
0003928696.tif 000005
【図５】
0003928696.tif 000006
【図６】
0003928696.tif 000007
【図７】
0003928696.tif 000008
【図８】
0003928696.tif 000009
【図９】
0003928696.tif 000010
【図１０】
0003928696.tif 000011
【図１１】
0003928696.tif 000012
【図１２】
0003928696.tif 000013
【図１３】
0003928696.tif 000014
【図１４】
0003928696.tif 000015
【図１５】
0003928696.tif 000016
【図１６】
0003928696.tif 000017
【図１７】
0003928696.tif 000018
【図１８】
0003928696.tif 000019
【図１９】
0003928696.tif 000020
【図２０】
0003928696.tif 000021
【図２１】
0003928696.tif 000022
【図２２】
0003928696.tif 000023